(57)【要約】【課題】管理対象間のデータの傾向を分かり易く比較することができ、かつ積算値との関連性を視覚的に把握することが可能な定時報告書を作成する。【解決手段】管理対象Ａ，Ｂ，Ｃ，Ｄの１時間毎の積算電力値が書き込まれた一覧表Ｈ１，Ｈ２，Ｈ３，Ｈ４中に、その積算電力値の合計値を示す棒グラフＧＦ１，ＧＦ２，ＧＦ３，ＧＦ４を挿入し、積算値とグラフとを合わせた図表とする。【選択図】  図３
2005234823.tif 000002
【特許請求の範囲】
【請求項１】
複数の管理対象のデータを収集する工程と、
収集した前記管理対象のデータを蓄積する工程と、
前記管理対象毎に前記データの所定時間毎の積算値とその積算値に基づくグラフとを合わせた図表を出力する工程と
を備えたことを特徴とする定時報告書の出力方法。
【請求項２】
複数の管理対象のデータを収集する手段と、
収集した前記管理対象のデータを蓄積する手段と、
前記管理対象毎に前記蓄積されたデータの所定時間毎の積算値とその積算値に基づくグラフとを合わせた図表を出力する手段と
を備えたことを特徴とする定時報告書の出力装置。
【発明の詳細な説明】
【技術分野】
【０００１】
この発明は、日報や月報、年報などの定時報告書の出力方法および装置に関するものである。
【背景技術】
【０００２】
従来より、ビルなどを管理する施設管理装置では、日報や月報、年報などの定時報告書として、例えばビルの１階や２階、３階など管理対象の電力データを収集し、この収集した電力データを所定時間毎に積算し、その積算した電力データ（積算電力値）を縦方向に時間（時刻、日付、月など）、横方向に管理対象を並べた表（積算値定時報）として出力するようにしている。
【０００３】
図５に従来の積算値定時報の一例を示す。この積算値定時報は日報であり、横方向に管理対象Ａ，Ｂ，Ｃ，Ｄ（例えば、ビルの１階、２階、３階、４階）を並べ、縦方向に「時刻（毎正時）」を並べ、管理対象と各時刻との交点に１時間毎の積算電力値を記入している。また、管理対象毎に、積算電力値の合計を日合計として記入している。
【０００４】
月報の場合には、図５において、縦方向に時間として「日」を並べ、管理対象と各日との交点に１日毎の積算電力値を記入する。また、管理対象毎に、積算電力値の合計を月合計として記入する。年報の場合には、図５において、縦方向に時間として「月」を並べ、管理対象と各月との交点に１月毎の積算電力値を記入する。また、管理対象毎に、積算電力値の合計を年合計として印字する（例えば、特許文献１参照）。
【０００５】
【特許文献１】特開平１０−４９５５２号公報
【発明の開示】
【発明が解決しようとする課題】
【０００６】
しかしながら、従来の定時報告書の出力方法では、図５に示した積算値定時報のように、数値（積算値）が並んでいるだけであり、横に並べた複数の管理対象間のデータの傾向を比較しづらいという問題があった。
なお、特許文献１では、管理対象間のデータの傾向を分かり易く比較するために、積算値定時報の横に積算値の合計値をグラフとして並べて表示するようにしているが、画面に分けて表示することになり、積算値との関連性までを把握することができない。
【０００７】
本発明は、このような課題を解決するためになされたもので、その目的とするところは、管理対象間のデータの傾向を分かり易く比較することができ、かつ積算値との関連性を視覚的に把握することが可能な定時報告書の出力方法および装置を提供することにある。
【課題を解決するための手段】
【０００８】
このような目的を達成するために本発明は、複数の管理対象のデータを収集する工程と、収集した管理対象のデータを蓄積する工程と、管理対象毎にそのデータの所定時間毎の積算値とその積算値に基づくグラフとを合わせた図表を出力する工程とを設けたものである。なお、本発明は、この方法を適用した装置としても構成できる。また、本発明において、定時報告書とは、電力データの積算値など、少なくとも所定時間毎（例えば、１時間毎、１日毎、１月毎、１年毎）のデータの積算値を記した報告書のことを言う。
【０００９】
この発明によれば、管理対象毎にそのデータの所定時間毎の積算値とその積算値に基づくグラフとを合わせた図表が出力される。例えば、管理対象Ａ，Ｂ，Ｃ，Ｄについて、そのデータの所定時間毎の積算値（例えば、積算電力値）の一覧表が作成され、この一覧表中にその積算値に基づくグラフ（例えば、積算電力値の合計）が挿入され、積算値とグラフとを合わせた図表が定時報告書として出力される。
【発明の効果】
【００１０】
本発明によれば、管理対象毎にそのデータの所定時間毎の積算値とその積算値に基づくグラフとを合わせた図表を出力するようにしたので、管理対象間のデータの傾向を分かり易く比較することができ、かつ積算値との関連性を視覚的に把握することができるようになる。
【発明を実施するための最良の形態】
【００１１】
以下、本発明を図面に基づいて詳細に説明する。図１は本発明の実施に用いる施設管理装置の一例を示す構成図である。
同図において、１はビルの中央監視室に設けられた中央監視装置、２はビル内に設けられた空調設備，照明設備，防犯設備，防災設備などの設備、３はこれら設備２を制御するとともにこれら設備２からの情報を通信回線４を介して中央監視装置１に送る上位コントローラである。
【００１２】
中央監視装置１は、制御部１−１と、記憶部１−２と、ディスプレイやプリンタなどの出力部１−３と、キーボードやマウスなどの操作部１−４と、通信制御部１−５とを備えている。制御部１−１は、通信制御部１−５を介する上位コントローラ３からの情報を記憶部１−２に蓄積する。また、制御部１−１は、記憶部１−２に格納されたプログラムに従って、記憶部１−２にアクセスしながら動作する。記憶部１−２には、本実施の形態特有のプログラムとして、定時報告書作成プログラムが格納されている。この定時報告書作成プログラムは、例えばＣＤ−ＲＯＭなどの記録媒体に記録された状態で提供され、この記録媒体から読み出されて記憶部１−２にインストールされている。
【００１３】
以下、定時報告書作成プログラムに従って制御装置１−１が実行する処理動作について、図２に示すフローチャートを用いて説明する。
制御部１−１は、管理対象のデータを収集し（ステップ２０１）、収集した管理対象のデータを記憶部１−２に蓄積する（ステップ２０２）。例えば、本実施の形態では、管理対象Ａ，Ｂ，Ｃ，Ｄとしてビルの１階、２階、３階、４階の電力データを１分周期で収集し、記憶部１−２に蓄積する。
【００１４】
管理者より、操作部１−４を介して定時報告書の作成の指示があると（ステップ２０３のＹＥＳ）、制御部１−１は記憶部１−２に蓄積されている電力データを読み出し、この読み出した電力データを編集して定時報告書を作成する（ステップ２０４）。そして、その作成した定時報告書を出力部１−３に送り、ディスプレイの画面に表示したり、プリンタより打ち出す（ステップ２０５）。
【００１５】
図３は制御部１−１により作成された定時報告書の一例（日報）を示す図である。この日報１００の作成は次のようにして行われる。制御部１−１は、記憶部１−２に蓄積されている指定された日の管理対象Ａ，Ｂ，Ｃ，Ｄの１日の電力データを読み出し、その電力データの１時間毎の積算値（積算電力値）を求める。そして、横方向に管理対象Ａ，Ｂ，Ｃ，Ｄを並べ、縦方向に「時刻（毎正時）」を並べ、管理対象と各時刻との交点に１時間毎の積算電力値を書き込む。また、管理対象毎に、積算電力値の合計を求め、日合計として各管理対象の一番下の欄に書き込む。また、管理対象Ａ，Ｂ，Ｃ，Ｄの積算電力値の合計を示す棒グラフＧＦ１，ＧＦ２，ＧＦ３，ＧＦ４を作成し、この作成した棒グラフＧＦ１，ＧＦ２，ＧＦ３，ＧＦ４を管理対象Ａ，Ｂ，Ｃ，Ｄの積算電力値が書き込まれた一覧表Ｈ１，Ｈ２，Ｈ３，Ｈ４中に挿入し、積算電力値と棒グラフとを合わせた図表とする。また、日報１００の右横に、棒グラフＧＦ（ＧＦ１，ＧＦ２，ＧＦ３，ＧＦ４）のレンジを書き込む。
【００１６】
制御部１−１は、このようにして作成された日報１００を出力部１−３へ送り、ディスプレイの画面に表示したり、プリンタより打ち出す。この日報により、管理者は、管理対象間のデータの傾向を分かり易く比較することができ、かつ積算電力値との関連性を視覚的に把握することができるようになる。すなわち、管理対象Ａ，Ｂ，Ｃ，Ｄ間の積算電力値の合計の大小や最大／最小を棒グラフＧＦ１，ＧＦ２，ＧＦ３，ＧＦ４により視覚的に比較判断することができる。また、各時点の積算電力値そのものの値と積算電力値の合計を示すグラフとが並んで１つの表示となるので、積算電力値との関連性を視覚的に把握することができる。
【００１７】
なお、図３では積算電力値が書き込まれた一覧表Ｈ（Ｈ１，Ｈ２，Ｈ３，Ｈ４中）中に日合計の棒グラフＧＦを挿入するようにしたが、日平均値や日最大値／日最小値を棒グラフとして挿入ようにしてもよい。
【００１８】
また、図３には定時報告書の一例として日報を示したが、月報や年報でも同様にして、定時報告書を作成し出力することができる。月報の場合、図３において、縦方向に時間として「日」を並べ、管理対象と各日との交点に１日毎の積算電力値を書き込む。年報の場合には、図３において、縦方向に時間として「月」を並べ、管理対象と各月との交点に１月毎の積算電力値を書き込む。
【００１９】
月報の場合、各管理対象の一覧表Ｈ中には月合計の棒グラフＧＦを挿入するが、月平均値や月最大値／月最小値の棒グラフを挿入ようにしてもよい。また、年報の場合、各管理対象の一覧表Ｈ中には年合計の棒グラフＧＦを挿入するが、年平均値や年最大値／年最小値の棒グラフを挿入ようにしてもよい。
【００２０】
また、プリンタで定時報告書を打ち出すものとした場合、例えば打ち出された各日の定時報告書を手めくりなどで確認することにより、一覧表Ｈ中の棒グラフＧＦの変化から、同一管理対象の積算電力値の合計の伸縮なども客観的に把握することができる。
【００２１】
なお、上述した実施の形態では、各管理対象の一覧表Ｈ中に棒グラフＧＦを挿入ようにしたが、このグラフは棒グラフに限られるものではなく、円グラフなどとしてもよい。
また、上述した実施の形態では、管理対象をビルの各階の電力データとしたが、管理対象はこれに限られるものでもない。例えば、管理対象を個人の特定のエリアへの入退室回数とするなどとしてよい。
【００２２】
製薬工場などの個人毎の無菌エリアへの入退室回数が重要となる入退室管理においては、個人毎の入退室回数の積算値が有益なデータとなる。製薬工場などの無菌エリアにおける入退室管理では、そこで作業を行う個人毎に入退室回数を積算し、入退室回数が多いにも拘わらず無菌エリアのクリーン度が落ちていない場合などは優良作業者として認知されるなどの運用がある。このような場合、本発明を適用し、図４に示すような定時報告書を作成し出力すれば、無菌エリアへの個人の入退室の積算値および積算値の合計を視覚的に捉えることができ、複数管理対象者間の比較をより容易に行うことができるようになる。
【図面の簡単な説明】
【００２３】
【図１】本発明の実施に用いる施設管理装置の一例を示す構成図である。
【図２】この施設管理装置の中央監視装置の制御部が実行する定時報告書作成プログラムの処理動作を示すフローチャートである。
【図３】制御部により作成された定時報告書の一例（日報）を示す図である。
【図４】管理対象を個人とした場合の定時報告書の一例（月報）を示す図である。
【図５】従来の積算値定時報の一例（日報）を示す図である。
【符号の説明】
【００２４】
１−１…制御部、１−２…記憶部、１−３…出力部、１−４…操作部、１００…定時報告書、Ｈ（Ｈ１，Ｈ２，Ｈ３，Ｈ４）…一覧表、ＧＦ（ＧＦ１，ＧＦ２，ＧＦ３，ＧＦ４）…棒グラフ。
【図１】
2005234823.tif 000003
【図２】
2005234823.tif 000004
【図３】
2005234823.tif 000005
【図４】
2005234823.tif 000006
【図５】
2005234823.tif 000007